(57)【特許請求の範囲】
【請求項１】
原稿台上に配置された原稿の画像を読み取るための画像読取部を有する装置本体と、
前記装置本体に、前記原稿台を覆うように設けられ、前記原稿台上の略平面における一方向の直線を支軸として開閉可能に構成されているとともに、前記一方向の直線と略直交する他方向の直線を支軸として開閉可能に構成された原稿カバーと、
前記一方向において前記装置本体に対し前記原稿カバーを回動可能に連結するように構成された第１の支軸部材と、
前記他方向において前記装置本体に対し前記原稿カバーを回動可能に連結するように構成された第２の支軸部材と、
前記第２の支軸部材が前記原稿カバーと前記装置本体とを連結した状態で、前記第１の支軸部材における前記原稿カバーと前記装置本体との連結を解除する方向に前記第１の支軸部材を移動するように構成された第１の解除レバーと、
前記第１の支軸部材が前記原稿カバーと前記装置本体とを連結した状態で、前記第２の支軸部材における前記原稿カバーと前記装置本体との連結を解除する方向に前記第２の支軸部材を移動するように構成された第２の解除レバーと、
を備えたことを特徴とする画像読取装置。
【請求項２】
前記第１の支軸部材又は前記第２の支軸部材は、前記原稿カバーの閉じる方向の移動に伴って、前記原稿カバーと前記装置本体とを連結する方向に移動するように構成されていることを特徴とする請求項１記載の画像読取装置。
【請求項３】
前記原稿カバーの周縁部分において、前記第１の支軸部材と前記第２の解除レバーとが対向配置されているとともに、前記第２の支軸部材と前記第１の解除レバーとが対向配置されていることを特徴とする請求項１又は２記載の画像読取装置。
【請求項４】
前記装置本体に、前記第１の支軸部材又は前記第２の支軸部材を回動自在に支持するための軸受部材が設けられ、該軸受部材は、前記原稿台上の平面から突出した位置と前記装置本体側に埋没した位置との間で移動可能に構成されていることを特徴とする請求項３記載の画像読取装置。
【発明の詳細な説明】
【０００１】
【発明の属する技術分野】
本発明は、例えば、原稿台上に載置された原稿の画像を読み取る画像読取装置に関し、特に、原稿台に対し原稿を押さえ付けるための原稿カバーを備えた画像読取装置に関する。
【０００２】
【従来の技術】
一般に、原稿の画像を読み取る装置として、原稿に光を照射してその反射光をイメージセンサによって電気信号に変換することにより、原稿の画像情報として読み取るようにした画像読取装置が知られている。
【０００３】
このような従来の画像読取装置においては、その装置本体の上面に、ほぼ全面にわたってステージガラスが設けられ、このステージガラスを覆うように原稿カバーが設けられている。この原稿カバーは、装置本体の上面における一方の縁部分にほぼ沿って設けられた支軸を中心に、開閉可能に支持されている。
【０００４】
そして、上述の画像読取装置においては、原稿カバーを開くと、原稿をステージガラス上に載置可能な状態になる一方、原稿カバーを閉じると、原稿をステージガラスに押え付けるようになっている。
【０００５】
【発明が解決しようとする課題】
しかしながら、従来の画像読取装置においては、次のような問題があった。
【０００６】
すなわち、従来技術にあっては、原稿として例えば厚手の本を原稿カバーの支軸側の周辺に載置した場合に原稿カバーが本に片当たりして原稿カバーを完全に閉じることができず、そのため、本の見開き部分をステージガラスに対し均一に押さえ付けることができないという問題があった。
【０００７】
また、原稿カバーの開閉する操作を行いやすくするためには、原稿カバーの開閉する側に作業空間を確保しなければならず、その結果、画像読取装置を設置する向きが限られてしまうという問題もあった。
【０００８】
本発明は、このような従来の技術の課題を解決するためになされたもので、原稿の厚みによらず原稿を原稿台にほぼ均一に押さえ付けることができる画像読取装置を提供することを目的とするものである。
【０００９】
また、本発明の他の目的は、原稿カバーの開閉の操作性を確保しつつ、設置する向きを自由に選択することができる画像読取装置を提供するところにもある。
【００１０】
【課題を解決するための手段】
上記目的を達成するためになされた本発明は、原稿台上に配置された原稿の画像を読み取るための画像読取部を有する装置本体と、装置本体に、原稿台を覆うように設けられ、原稿台上の略平面における一方向の直線を支軸（以下、「第１の支軸」という。）として開閉可能に構成されているとともに、前記一方向の直線と略直交する他方向の直線を支軸（以下、「第２の支軸」という。）として開閉可能に構成された原稿カバーとを備えたことを特徴とする画像読取装置である。
【００１１】
本発明の場合、原稿カバーは、第２の支軸を半径方向として第１の支軸を中心に開閉する方向と、第１の支軸を半径方向として第２の支軸を中心に開閉する方向とに選択することができる。
【００１２】
本発明において、原稿台の第１の支軸の周辺部分に、例えば、本のような厚手の原稿を載置しようとする場合、第２の支軸を中心に原稿カバーを開いてから原稿を当該部分に載置する。そして、原稿カバーを閉じて装置本体側に押さえ付けながら、画像読取部に原稿の画像を読み取らせる。この場合、原稿カバーは、原稿に対し、第１の支軸よりも離れた第２の支軸を中心に開閉するため、原稿を挟んで閉じられた原稿カバーと、原稿台との隙間を可能な限り小さくすることができる。
【００１３】
また、原稿台の第２の支軸の周辺部分に上記厚手の原稿を載置しようとする場合、第１の支軸を中心に原稿カバーを開いてから、以下、上記同様に、原稿を挟んで閉じられた原稿カバーと、原稿台との隙間を可能な限り小さくすることができる。
【００１４】
したがって、本発明によれば、原稿が本のように厚い場合にあっては、原稿を原稿台上に載置する位置によって、原稿カバーの開く方向を、第１の支軸を中心にした開閉方向と、第２の支軸を中心にした開閉方向とに選択することにより、原稿カバーは、載置された原稿からより離れた一方の支軸を中心に開閉することができる。その結果、厚みのある原稿を挟んでも原稿カバーを原稿台に対しほぼ平行になる位置に配置することができるため、原稿を原稿台上に均一に押さえ付けることができる。
【００１５】
また、本発明によれば、原稿カバーの開閉方向を上記２方向のうちから選択できるようにしたことから、原稿カバーの開閉する方向に束縛されることなく、画像読取装置の設置する向きを自由に選択することができる。
【００１６】
また、本発明は、前記一方向において装置本体に対し原稿カバーを回動可能に連結するように構成された第１の支軸部材と、前記他方向において装置本体に対し原稿カバーを回動可能に連結するように構成された第２の支軸部材とが設けられているとともに、第２の支軸部材が原稿カバーと装置本体とを連結した状態で、第１の支軸部材における原稿カバーと装置本体との連結を解除する方向に第１の支軸部材を移動するように構成された第１の解除レバーと、第１の支軸部材が原稿カバーと装置本体とを連結した状態で、第２の支軸部材における原稿カバーと装置本体との連結を解除する方向に第２の支軸部材を移動するように構成された第２の解除レバーとが設けられていることも効果的である。
【００１７】
本発明によれば、第１解除レバーにより第２の支軸部材を中心とした原稿カバーの開閉方向と、第２解除レバーにより第１の支軸部材を中心とした原稿カバーの開閉方向とに選択することができる。
【００１８】
さらに、本発明は、第１の支軸部材又は第２の支軸部材が、原稿カバーの閉じる方向の移動に伴って、原稿カバーと装置本体とを連結する方向に移動するように構成されていることも効果的である。
【００１９】
本発明によれば、開いた原稿カバーの半径方向における第１又は第２の支軸部材のうち、いずれか一方の支軸部材を、原稿カバーを閉じるだけで、当該支軸部材を自動的に原稿カバーと装置本体とを連結した状態することができる。そのため、その後、当該支軸部材を中心とした原稿カバーの開閉を行う際、その開閉する操作をより円滑に行うことができる。
【００２０】
さらにまた、本発明は、原稿カバーの周縁部分において、第１の支軸部材と第２の解除レバーとが対向配置されているとともに、第２の支軸部材と第１の解除レバーとが対向配置されていることも効果的である。
【００２１】
本発明によれば、第２の解除レバーを持ち上げる操作により、第１の支軸部材を中心とした原稿カバーの開閉を行うことができ、また、同様に、第１の解除レバーを持ち上げる操作により、第２の支軸部材を中心とした原稿カバーの開閉を行うことができる。
【００２２】
さらに加えて、本発明は、装置本体に、第１の支軸部材又は第２の支軸部材を回動自在に支持するための軸受部材が設けられ、この軸受部材は、原稿台上の平面から突出した位置と装置本体側に埋没した位置との間で移動可能に構成されていることも効果的である。
【００２３】
本発明の場合、軸受部材は、第１の支軸部材又は第２の支軸部材を支持する上記突出位置と、軸受として使用しない場合には、上記埋没位置とに移動することができる。したがって、軸受部材を支軸として含まずに開いた原稿カバーに対し、軸受部材を上記埋没位置に移動することで、軸受部材の周辺に原稿を載置する場合にあっても、原稿を原稿台に密着させた状態でほぼ均一に押さえ付けることができる。
【００２４】
【発明の実施の形態】
以下、本発明に係る画像読取装置の実施の形態を図面を参照して詳細に説明する。
図１は、本実施の形態の画像読取装置の装置本体と原稿カバーとが分離した状態の概略構成を示す斜視図である。図２は、本実施の形態の原稿カバーの内部構成の概略を示す平面図である。図３は、本実施の形態の可動支軸の周辺を拡大して示す平面図であり、図４は、同可動支軸の周辺を拡大して示す側面図である。また、図５は、本実施の形態の解除レバーを拡大して示す下面図である。一方、図６（ａ）及び図６（ｂ）は、本実施の形態の解除レバーと駆動リンク部材との位置関係を示す側面図である。さらに、図７は、同原稿カバーの内部構成の作用を説明するための平面図である。
【００２５】
図１に示すように、本実施の形態の画像読取装置１は、略直方体形状の装置本体１０と、略長方形板状の原稿カバーユニット（原稿カバー）３０とを有している。本実施の形態の場合、この原稿カバーユニット３０は、後述する構成により装置本体１０に着脱できるようになっている。
【００２６】
装置本体１０は、例えば樹脂等を用いて略箱形状に形成された本体ケーシング１１を有している。この本体ケーシング１１の上面には、長方形状のステージガラス（原稿台）１２が埋め込まれている。本体ケーシング１１の一方の端部分には、カバー支持部１３が、ステージガラス１２の上面より幾分高くなるよう段差を設けて形成されている。本体ケーシング１１の短辺方向（図１に示すＸ方向）の上記カバー支持部１３の両側部分には、２個の軸受部１３ａ、１３ｂが、それぞれ、本体ケーシング１１の長辺方向（図１に示すＹ方向）においてステージガラス１２の端縁を含む直線の近傍まで延びるように形成されている。
【００２７】
これらの軸受部１３ａ、１３ｂの対向する各側面には、後述する第１可動支軸（第１の支軸部材）３２、３３とそれぞれ係合可能な係合穴１３ｃ、１３ｄが形成されている。
【００２８】
本体ケーシング１１の奥側の隅部分（図１の左側の隅部分）には、軸受部材１５が出没可能に設けられている。この軸受部材１５は、圧縮コイルばね１６によって付勢されるように構成され、軸受部材１５の上面が、カバー支持部１３の上面とほぼ同一高さになる突出位置と、本体ケーシング１１の上面とほぼ同一平面上になる埋没位置とに配置できるようになっている。
【００２９】
上記軸受部材１５と上記軸受部１３と対向する各側面には、後述する第２可動支軸（第２の支軸部材）３４、３５とそれぞれ係合可能な係合穴１５ａ、１３ｅが形成されている。
【００３０】
本体ケーシング１１の内部には、例えば、詳細は図示しないが、ライン型イメージセンサを有するスキャナ機構部（画像読取部）２１が、Ｙ方向に往復動可能に設けられている。このスキャナ機構部２１は、Ｙ方向に移動しながらＸ方向と平行なラインごとの情報を読み取ることによって、ステージガラス１２上に載置された原稿の画像を読み取るように構成されている。
【００３１】
図１又は図２に示すように、原稿カバーユニット３０は、例えば樹脂等を用いて薄い箱形状に形成されたカバーケース３１を有し、このカバーケース３１の周縁部分のうちＸ方向の縁部分には、その両側の隅部分が切り欠かれたような形状の第１軸内蔵部３１ａが形成されている。また、カバーケース３１の周縁部分のうちＹ方向の縁部分には、その両側の隅部分が切り欠かれたような形状の第２軸内蔵部３１ｂが形成されている。
【００３２】
一方、カバーケース３１の周縁部分において、第２軸内蔵部３１ｂと対向する側の縁部分には、第１解除レバー（第１の解除レバー）４１が回動支軸４３を中心に回動自在に設けられている。また、第１軸内蔵部３１ａと対向する側の縁部分には、第２解除レバー（第２の解除レバー）４２が回動支軸４４を中心に回動自在に設けられている。
【００３３】
図２に示すように、第１軸内蔵部３１ａの両側部分には、Ｘ方向と直交する外壁部３１ｃと、この外壁部３１ｃに対し、内側に所定の間隔離れた内壁部３１ｄとからなる軸収容部３１ｅが、それぞれ形成されている。そして、各第１可動支軸３２、３３は、第１軸内蔵部のそれぞれの軸収容部３１ｅにおいて、各外壁部３１ｃを貫通した状態で支持されている。
【００３４】
また、各第１可動支軸３２、３３の側面に形成されたフランジ部３２ａ、３３ａが、それぞれ、圧縮コイルばね３７の弾性力により、上記各外壁部３１ｃの内面側に押し付けらた状態で、各第１可動支軸３２、３３のそれぞれの先端部３２ｂ、３３ｂが、上記各外壁部３１ｃから外側に突き出るように配置されている。
【００３５】
これらの各先端部３２ｂ、３３ｂには、図２又は図４（図４には、一方の第１可動支軸３３のみ図示）に示すように、上記軸受部１３ａ、１３ｂの上縁部分と当接することにより各第１可動支軸３２、３３をそれぞれの軸収容部３１ｅの内側に逃がす方向へ傾くように形成された当接面３２ｃ、３３ｃがそれぞれ設けられている。
【００３６】
図２に示すように、カバーケース３１には、第１解除レバー４１の回転方向の移動を、各第１可動支軸３２、３３が互い接近する方向への移動に変換するための第１解除機構部５０が設けられている。この第１解除機構部５０は、第１解除レバー４１に連結された駆動リンク部材５１と、駆動リンク部材５１に連結された中間リンク部材５２と、中間リンク部材５２に連結された従動リンク部材５３とから構成されている。駆動リンク部材５１は、図２又は図５に示すように、長尺の板形状に形成され、その一方の端部に長孔５１ａが設けられている。
【００３７】
一方、図６（ａ）に示すように、第１解除レバー４１には、駆動リンク部材５１を作動するための作動軸４１ａが、第１解除レバー４１の回転方向における半径方向に延びるように設けられ、この作動軸４１ａは、駆動リンク部材５１の長孔５１ａと所定の遊びをもって係合している。
【００３８】
図２に示すように、中間リンク部材５２は、長尺の略くの字状に形成された連結部５２ａ及び腕部５２ｂを有し、カバーケース３１に固定された固定支軸５４を中心に回動自在に支持されている。中間リンク部材５２の連結部５２ａは、固定支軸５４から駆動リンク部材５２の他方の端部まで延びる大きさに形成されている。そして、この連結部５２ａは、駆動リンク部材５１に対し連結支軸５５を支点として回動可能に連結されている。
【００３９】
また、中間リンク部材５２の腕部５２ｂは、固定支軸５４から一方の軸収容部３１ｅと重なる領域まで延びる大きさに形成されている。そして図３に示すように、この腕部５２ｂの先端側には、軸収容部３１ｅにおける第１可動支軸３２の位置を保持するための保持孔５２ｃが、設けられている。この保持孔５２ｃに対し、第１可動支軸３２に設けられた係合ピン３２ｄが、所定の遊びをもって係合している。
【００４０】
他方、従動リンク部材５３は、長尺状の腕部５３ａを有し、上記固定支軸５４と近接する部位に固定された別の固定支軸５６を中心に回動自在に支持されている。従動リンク部材５３の腕部５３ａは、固定支軸５６から他方（第１可動支軸３３の方）の軸収容部３１ｅと重なる領域まで延びるように形成されている。
【００４１】
そして、この腕部５３ａの先端側には、上記中間リンク部材５２の腕部５２ｂと同様に、当該軸収容部３１ｅにおける第１回動支軸３３の位置を保持するための保持孔５３ｂが設けられている。
【００４２】
また、固定支軸５４、５６の周辺において、中間リンク部材５２の腕部５２ｂの周縁部分と、従動リンク部材５３の腕部５３ａの周縁部分とには、それぞれ、歯車部５２ｄ、５３ｃが形成され、従動リンク部材５３は、この歯車部５３ｃが中間リンク部材５２の歯車部５２ｄと噛み合うように配置されている。
【００４３】
一方、各第２可動支軸３４、３５は、上記第１可動支軸３２、３３と同様に、第２軸内蔵部３１ｂのＹ方向において移動可能に支持されている。また、各第２可動支軸３４、３５は、上記第１解除機構部５０と同一の機構を有する第２解除機構部６０を介することで第２解除レバー４２の回転に伴って、互いに接近する方向に移動するようになっている。
【００４４】
かかる構成を有する本実施の形態の画像読取装置１において、原稿をステージガラス１２に載置しようとする段階では、原稿カバーユニット３０は、その第１軸内蔵部３１ａが軸受部１３ａと軸受部１３ｂとの間に、また、第２軸内蔵部３１ｂが軸受部１３ｂと軸受部材１５との間に、それぞれはまった状態で、装置本体１０に装着されている。
【００４５】
この状態において、第１軸内蔵部３１ａの第１可動支軸３２、３３は、それぞれ、本体ケーシング１１の係合穴１３ｃ、１３ｄに係合しているとともに、第２軸収容部３１ｂの第２可動支軸３４、３５は、それぞれ、軸受部材１５の係合穴１５ａと、本体ケーシング１１の係合穴１３ｅとに係合している。
【００４６】
図１に示すように、例えば、ステージガラス１２上における第１可動支軸３２の近傍の領域Ｓ１に、本のような厚手の原稿を載置しようとする場合、図６（ｂ）に示すように、第１解除レバー４１を持ち上げてその作動軸４１ａを回動支軸４３を中心に矢印Ｃ方向に回転させることで、第１解除機構部５０を作動させる。
【００４７】
ここで、第１解除機構部５０の作動において、図６（ｂ）又は図７に示すように、まず、駆動リンク部材５１が、第１解除レバー４１の作動軸４１ａの回転に伴って、装置本体１０の手前側の矢印Ｄ方向に移動しながら、駆動リンク部材５１の連結支軸５５側が、中間リンク部材５２に拘束されることよって、作動軸４１ａの軸方向を中心に図７に示す時計回りの矢印Ｅ方向に回転する。次いで、駆動リンク部材５１の回転移動に伴い、中間リンク部材５２が、駆動リンク部材５１と中間リンク部材５２の連結部５２ａとの拘束状態を保ちながら、固定支軸５４を中心に図７に示す反時計回りの矢印Ｆ方向に回転する。
【００４８】
そして、図３又は図７に示すように、中間リンク部材５２の腕部５２ｂの矢印Ｆ方向の回転に伴い、第１可動支軸３２の係合ピン３２ｄが、上記腕部５２ｂの保持孔５２ｃに対して相対的に図３に示す矢印Ｈ方向に移動しながら、もう一方の第１可動支軸３３に接近する方向（矢印Ａ１方向）に移動する。これにより、第１可動支軸３２は、本体ケーシング１１の係合穴１３ｃから抜ける。
【００４９】
一方、図７に示すように、従動リンク部材５３の歯車部５３ｃが、中間リンク部材５２の歯車部５２ｄと噛み合い回転することにより、従動リンク部材５３が、固定支軸５６を中心に図７に示す時計回りの矢印Ｇ方向に回転する。これにより、もう一方の第１可動支軸３３は、上記第１可動支軸３２に接近する方向（矢印Ａ２方向）に移動して本体ケーシング１１の係合穴１３ｄから抜ける。
【００５０】
したがって、第２可動支軸３４、３５が装置本体１０と係合したまま、第１解除機構部５０により、第１可動支軸３２、３４のみを装置本体１０との係合を解除させた状態で、第１解除レバー４１をそのまま持ち上げることで、原稿カバーユニット３０を第２可動支軸３４、３５を中心に回転させる。
【００５１】
そして、図１に示すように、原稿をステージガラス１２上の領域Ｓ１に載置し、原稿カバーユニット３０を閉じて装置本体１０側に押さえ付けながら、スキャナ機構部２１に原稿の画像を読み取らせる。
【００５２】
この場合において、原稿は、第２可動支軸３４、３５から離れた位置に載置されているため、原稿を挟んで閉じられた原稿カバーユニット３０と、ステージガラス１２との隙間を可能な限り小さくすることで、原稿カバーユニット３０が、原稿をステージガラス１２上にほぼ均一に押さえ付けている。
【００５３】
原稿の画像の読取処理が終了した後、原稿カバーユニット３０を開いてから原稿を取り除き、再び、原稿カバーユニット３０を閉じる。この原稿カバーユニット３０の閉じる方向の移動に伴って、図４に示すように、第１可動支軸３２の先端部３２ｂの当接面３２ｃが圧縮コイルばね３７の付勢力に抗して本体ケーシング１１の上縁部分と当接した状態を保ちながら、第１可動支軸３２が上記軸収容部３１ｅの内側に一時的に逃げる。第１可動支軸３２に設けられた係合ピン３２ｄと、中間リンク部材５２の腕部５２ｂの保持孔５２ｃとは所定の遊びをもって係合してため、図３に示すよう中間リンク部材５２が矢印Ｆ方向に回転していなくとも、第１の可動支軸３２が矢印Ａ１の方向に退避し、軸収納部３１ｅの内側に逃げることが可能である。
【００５４】
すなわち図４に示すよう、原稿カバー３０が閉じられる場合、中間リンク部材５２の位置に関係なく、第１可動支持軸３２は当接面３２ｃと本体ケーシング１１よって矢印Ａ１方向に押し込まれる。その後、上記当接面３２ｃと本体ケーシング１１の上縁部分との当接が解除するとほぼ同時に、第１可動支軸３２の先端部３２ｂが本体ケーシング１１の係合穴１３ｃにはまる。同様に、第２可動支軸３３も、本体ケーシング１１の係合穴１３ｄにはまる。
【００５５】
また、図１に示すように、例えば、ステージガラス１２上における第２可動支軸３４の近傍の領域Ｓ２、又はステージガラス１２上における手前側の隅部の領域Ｓ３に、上記厚手の原稿を載置しようとする場合、第２解除レバー４２を持ち上げて第２解除機構部６０を作動させる。この場合、図２に示すように、第２解除機構部６０は、上記第１解除機構部５０の作用と同様に、第１可動支軸３２、３３が装置本体１０に係合した状態のまま、第２可動支軸３４、３５と装置損体１０との係合のみを解除する。
【００５６】
そして、図１に示すように、原稿をステージガラス１２上の領域Ｓ２又は領域Ｓ３に載置してから、原稿カバーユニット３０を第１可動支軸３２、３３を中心に閉じて装置本体１０側に押さえ付ける。
【００５７】
この場合において、原稿は、第１可動支軸３２、３３から離れた位置に載置されているため、原稿を挟んで閉じられた原稿カバーユニット３０と、ステージガラス１２との隙間を可能な限り小さくすることで、原稿カバーユニット３０が、原稿をステージガラス１２上にほぼ均一に押さえ付けている。特に、ステージガラス１２上の領域Ｓ２に原稿を載置する場合にあっては、軸受部材１５を上記埋没位置に配置することで軸受部材１５の上面をステージガラス１２と同一平面上にしてから、原稿をステージガラス１２上に密着させた状態で載置する。
【００５８】
さらに、図１に示すように、例えば、ステージガラス１２上のほぼ全面にわたって、上記厚手の原稿を載置しようとする場合、第１解除レバー４１及び第２解除レバー４２をほぼ同時に持ち上げて第１解除機構部５０及び第２解除機構部６０を作動させる。これにより第１可動支軸３２、３３及び第２可動支軸３４、３５と装置本体１０との係合を全て解除し、原稿カバーユニット３０を上方に持ち上げて装置本体１０から取り外す。そして、軸受部材１５を上記埋没位置に配置してから、原稿をステージガラス１２上に密着させた状態でほぼ均一に押し付ける。図示していないが、軸支部材１５は埋没状態で固定されるロック部材を設け、軸支部材１５を埋没状態に固定することにより、図面等の薄い原稿であっても軸支部材１５の影響を受けることなく、容易にステージガラス１２に均一に押さえつけることができる。
【００５９】
以上述べたように本実施の形態によれば、原稿が本のように厚い場合にあっては、原稿をステージガラス１２上に載置する位置によって、原稿カバーユニット３０を、第１可動支軸３２、３３を中心にした開閉方向と、第２可動支軸３４、３５を中心にした開閉方向とに選択することができる。
【００６０】
つまり、第１可動支軸３２の近傍に原稿を載置する場合には、第１解除レバー４１によって原稿カバーユニット３０を第２可動支軸３４、３５を中心に開閉し、第２可動支軸３４の近傍に原稿を載置する場合には、第２解除レバー４２によって原稿カバーユニット３０を第１可動支軸３２、３３を中心に開閉することができる。また、上記領域Ｓ３のように、上記２つの開閉方向の中心軸となるそれぞれの直線が交わる部分と対向する隅部分に原稿を載置する場合には、第１可動支軸３２、３３又は第２可動支軸３４、３５のうち、当該隅部分からより離れた第１可動可動支軸３２、３３を中心とした開閉方向を選択することができる。
【００６１】
したがって、本実施の形態によれば、厚みのある原稿を載置した位置からより離れた第１可動支軸３２、３３又は第２可動支軸３４、３５のいずれか一方を、原稿カバーユニット３０の開閉方向の中心にすることによって、厚みのある原稿を挟んでも原稿カバーユニット３０をステージガラス１２に対しほぼ平行になる位置に配置することができ、その結果、原稿をステージガラス１２上に均一に押さえ付けることができる。
【００６２】
また、本実施の形態によれば、第２可動支軸３４の軸受として使用しない場合の軸受部材１５を、ステージガラス１２と同一平面上にすることができるようにしたことから、軸受部材１５の周辺に原稿を載置する場合にあっても、原稿をステージガラス１２上に均一に押さえ付けることができる。
【００６３】
さらに、本実施の形態によれば、上記２つの開閉方向のうち、いずれからも原稿ユニット３０を開いて原稿を載置できるため、原稿カバーユニット３０の開閉する方向に束縛されることなく、画像読取装置１の設置する向きを自由に選択することができる。
【００６４】
図８（ａ）は、第２の実施の形態の画像読取装置の概略構成を示す斜視図であり、図８（ｂ）は、同画像読取装置における原稿カバーが一方向に開いた状態を示す斜視図である。図９（ａ）は、同画像読取装置の立てた状態を示す斜視図であり、図９（ｂ）は、同画像読取装置における原稿カバーが他方向に開いた状態を示す斜視図である。以下、上記実施の形態と対応する部分については同一の符号を付しその詳細な説明を省略する。
【００６５】
図８（ａ）（ｂ）に示すように、本実施の形態の画像読取装置１Ａは、略直方体形状の装置本体１０Ａと、略長方形板状の原稿カバーユニット３０Ａとから構成されている。
【００６６】
装置本体１０Ａは、上記本体ケーシング１１を有し、この本体ケーシング１１の側面のうち、Ｘ方向と直交する一方の側面（以下、「設置面１１ａ」という。）には、長方形板状の脚部材７１、７３が、それぞれ、固定軸７２、７４を支点として約９０度の範囲で回動可能に設けられている。これらの脚部剤７１、７３は、Ｙ方向と平行になる位置にあって上記設置面１１ａ内に収まる位置（図８（ａ）の実線で示す位置）と、Ｘ方向とＹ方向とで形成する平面と直交する位置にあって上記設置面１１ａの両縁からはみ出す位置（図８（ａ）の２点鎖線で示す位置）とに移動できるようになっている。
【００６７】
一方、原稿カバーユニット３０Ａは、枠体形状のカバーフレーム３８と、その中に設けられた内カバー３９とから構成されている。カバーフレーム３８は、その短辺方向を支軸（以下、「第１支軸８１」という。）としてカバー支持部１３に開閉可能に設けられている。このカバーフレーム３８の第１支軸８１側と対向する側の縁部分には、装置本体１０Ａと係止するためのストッパー３８ａが設けられている。
【００６８】
また、カバーフレーム３９のＹ方向の縁部分の周辺には、原稿を位置決めするためのガイド部３８ｂが設けられている。このガイド部３８ｂは、カバーフレーム３９の裏面側（ステージガラス１２と対向する側）から突出するとともに、その長辺方向に沿って長く延びるように形成されている。また、本体ケーシング１１には、上記ガイド部３８ｂと係合可能な係合溝１１ｂが形成されている。
【００６９】
一方、内カバー３９は、カバーフレーム３８の内周縁のうち、脚部材７１、７３と近接する側の縁部分を支軸（以下、「第２支軸８２」という。）として開閉可能に設けられている。この第２支軸８２側と対向する側の縁部分の周辺には、内カバー３９の開閉操作を行うためのレバー３９ａが設けられている。
【００７０】
そして、本実施の形態の原稿カバーユニット３０Ａは、カバーフレーム３８が内カバー３９とともに第１支軸８１を中心に開閉する方向と、カバーフレーム３８とは別個に、内カバー３９のみが第２支軸８２を中心に開閉する方向とに選択できるようになっている。
【００７１】
かかる構成を有する本実施の形態において、図８（ａ）（ｂ）に示すように、ステージガラス１２が上側に向くように、画像読取装置１Ａを設置した場合には、カバーフレーム３８を内カバー３９とともに第１支軸８１を中心に開き、ステージガラス１２上に原稿を載置する。
【００７２】
また、図９（ａ）（ｂ）に示すように、装置本体１０Ａの上記設置面１１ａを下側にして画像読取装置１Ａを縦置きする場合には、脚部部材７１、７３を上記はみ出す位置に配置する。この脚部材７１、７３によって、画像読取装置１Ａは、ステージガラス１２が横に向くように支持される。
【００７３】
そして、カバーフレーム３８がストッパ３８ａによって装置本体１０Ａと係止した状態のまま、内カバー３９のみを第２支軸８２を中心に開き、原稿を投げ込む。この場合、カバーフレーム３８のガイド部３８ｂは、本体ケーシング１１の係合溝１１ｂと係合しているため、原稿は、その一方の端縁が上記ガイド部３９８ｂに突き当たることにより、ステージガラス１２に対して位置決めされる。
【００７４】
以上述べたように本実施の形態によれば、画像読取装置１Ａを、ステージガラス１２が上側に向く通常の位置と、上記縦置き位置とに載置可能とし、それぞれの位置において原稿カバーユニット３０Ａを、第１軸８１を中心とした開閉方向と、第２軸８２を中心とした開閉方向とに選択できるようにしたことから、画像読取装置１Ａの設置する場所が十分に確保できない場合にあっても、画像読取装置１Ａを上記縦置きにして十分に対応することができる。
【００７５】
その他の構成及び作用効果については、上記実施の形態と同一であるのでその詳細な説明は省略する。
【００７６】
なお、本発明は上述の実施の形態に限られることなく、種々の変更を行うことができる。
【００７７】
例えば、上記第１の実施の形態において、第１可動支軸３２、３３と第２解除レバー４２と、及び、第２可動支軸３４、３５と第１解除レバー４１とが、それぞれ対向配置するようにしたが、第１可動支軸３２、３３と第１解除レバー４１と、及び、第２可動支軸３４、３５と第２解除レバー４２とを、それぞれ対向配置させることも可能である。もっとも、第１解除レバー４１又は第２解除レバー４２の解除する操作をそのまま、それぞれの対向する側の第２可動支軸３４、３５又は第１可動支軸３２、３３を中心とした開閉操作に続けて行えるという点で、上記実施の形態のように配置することが好ましい。
【００７８】
【発明の効果】
以上述べたように本発明は、原稿台上に配置された原稿の画像を読み取るための画像読取部を有する装置本体と、装置本体に、原稿台を覆うように設けられ、原稿台上の略平面における一方向の直線を支軸として開閉可能に構成されているとともに、前記一方向の直線と略直交する他方向の直線を支軸として開閉可能に構成された原稿カバーとを備えたので、一方向の支軸を中心に開閉する方向と、他方向の支軸を中心に開閉する方向とを選択して原稿カバーを開閉することができるから、原稿の厚みによらず原稿を原稿台にほぼ均一に押さえ付けることができる画像読取装置を得ることができる。また、本発明によれば、原稿カバーの開閉の操作性を確保しつつ、設置する向きを自由に選択することができる画像読取装置を得ることができる。
【図面の簡単な説明】
【図１】本実施の形態の画像読取装置の装置本体と原稿カバーとが分離した状態の概略構成を示す斜視図である。
【図２】本実施の形態の原稿カバーの内部構成の概略を示す平面図である。
【図３】本実施の形態の可動支軸の周辺を拡大して示す平面図である。
【図４】同可動支軸の周辺を拡大して示す側面図である。
【図５】本実施の形態の解除レバーを拡大して示す下面図である。
【図６】（ａ）：本実施の形態の解除レバーと駆動リンク部材との位置関係を示す側面図である。
（ｂ）：本実施の形態の解除レバーと駆動リンク部材との位置関係を示す側面図である。
【図７】同原稿カバーの内部構成の作用を説明するための平面図である。
【図８】（ａ）：第２の実施の形態の画像読取装置の概略構成を示す斜視図である。
（ｂ）：同画像読取装置における原稿カバーが一方向に開いた状態を示す斜視図である。
【図９】（ａ）：同画像読取装置の立てた状態を示す斜視図である。
（ｂ）：同画像読取装置における原稿カバーが他方向に開いた状態を示す斜視図である。
【符号の説明】
１０          装置本体
１２          ステージガラス（原稿台）
１５          軸受部材
２１          スキャナ機構部（画像読取部）
３０、３０Ａ  原稿カバーユニット（原稿カバー）
３２、３３    第１可動支軸（第１の支軸部材）
３４、３５    第２可動支軸（第２の支軸部材）
４１          第１解除レバー（第１の解除レバー）
４２          第２解除レバー（第２の解除レバー）
【図１】
0003680633.tif 000002
【図２】
0003680633.tif 000003
【図３】
0003680633.tif 000004
【図４】
0003680633.tif 000005
【図５】
0003680633.tif 000006
【図６】
0003680633.tif 000007
【図７】
0003680633.tif 000008
【図８】
0003680633.tif 000009
【図９】
0003680633.tif 000010